(57)【要約】【課題】タッチパネルによって文字種混在の文章を入力する際の手間を削減する。【解決手段】タッチパネルの表示画面１５の下部中央に、母音が/ａ/である１０文字を選択するための「１２ソフトキー」１６を設定し、「１２ソフトキー」１６における選択文字の近傍に、「１２ソフトキー」１６に対する次の操作方向を案内するための「入力ガイド部」１７を設定する。そして、「入力ガイド部」１７を、上記選択文字と同じ子音を有する５文字を入力する場合のスライド操作の方向を案内するための十字形ガイドボタン部１７aと、十字形ガイドボタン部１７aの中央のガイドボタンの右上,右下,左上,左下の何れかに設定されて入力文字の文字種を切り替えるための文字種切替ガイドボタン１７b〜１７eとを含んで構成する。こうして、「１２ソフトキー」１６から文字を入力する場合と文字種を切り替える場合との指の移動量を少なくし、入力の手間を削減する。【選択図】図４
2014039215.tif 000002
【特許請求の範囲】
【請求項１】
表示機能と入力機能とを有するタッチパネルと、
上記タッチパネルに、予め定められた順序で配列された第１文字列の何れかを選択するための複数のソフトキーで成る文字入力用ソフトキー部を設定する文字入力用ソフトキー部設定手段と、
上記タッチパネルにおける上記文字入力用ソフトキー部によって選択された選択文字の近傍に、上記文字入力用ソフトキー部に対する次の操作方向を案内するための複数のガイドボタンで成る入力ガイド部を設定する入力ガイド部設定手段と、
上記入力ガイド部のガイドボタンに基づいて、上記文字入力用ソフトキー部に対する操作内容を判定し、この操作内容の判定結果に応じて、上記文字入力用ソフトキー部における各ソフトキーの機能および表示と、上記入力ガイド部における各ガイドボタンの表示とを切り替え制御する制御手段と
を備え、
上記入力ガイド部は、
上記選択文字と同一文字種であって上記選択文字と特定の関係を有する文字列の何れかを入力する場合のスライド操作の方向を案内するための複数のガイドボタンが、上記選択文字を中央として十字形に配列されてなる十字形ガイドボタン部と、
上記十字形ガイドボタン部における中央のガイドボタンに隣接して、上記中央のガイドボタンの右上、上記中央のガイドボタンの右下、上記中央のガイドボタンの左上、上記中央のガイドボタンの左下の何れかに配置されたガイドボタンであって、上記文字入力用ソフトキー部から入力される文字の文字種を他の文字種へ切り替える場合のスライド操作の方向を案内するための文字種切替ガイドボタンと
を含んでいる
ことを特徴とする文字入力装置。
【請求項２】
請求項１に記載の文字入力装置において、
上記文字入力用ソフトキー部による入力文字の選択および切替文字種の選択は、上記入力ガイド部の上記十字形ガイドボタン部における中央のガイドボタンから目的とする文字あるいは文字種のガイドボタンへの方向と同じ方向に、上記文字入力用ソフトキー部上でスライド操作が行われた場合に行うようになっている
ことを特徴とする文字入力装置。
【請求項３】
請求項１あるいは請求項２に記載の文字入力装置において、
上記制御手段は、上記文字入力用ソフトキー部によって切替文字種の選択が行われた場合には、上記文字入力用ソフトキー部における各ソフトキーの機能および表示、および、上記十字形ガイドボタン部における各ガイドボタンの表示を、上記選択された文字種に応じて切り替えるようになっている
ことを特徴とする文字入力装置。
【請求項４】
請求項１から請求項３までの何れか一つに記載の文字入力装置において、
上記入力ガイド部設定手段は、上記文字入力用ソフトキー部によって切替文字種の選択が行われた場合には、上記文字種切替ガイドボタンを、上記選択された文字種に応じて再設定するようになっている
ことを特徴とする文字入力装置。
【請求項５】
請求項１から請求項４までの何れか一つに記載の文字入力装置において、
上記入力ガイド部設定手段は、上記文字入力用ソフトキー部における表示画面の縁に位置している上記ソフトキーが選択された際に、上記入力ガイド部における上記表示画面の上記縁側に設定される文字種切替ガイドボタンがある場合には、当該文字種切替ガイドボタンと同じ文字種に切り替えるための当該文字種切替ガイドボタンとは異なる文字種切替ガイドボタンを、当該文字種切替ガイドボタンとは異なる位置に設定するようになっている
ことを特徴とする文字入力装置。
【請求項６】
請求項１から請求項５までの何れか一つに記載の文字入力装置において、
上記入力ガイド部設定手段は、上記文字種切替ガイドボタンの全てを同時に設定できない場合には、先ず予め設定された複数の設定文字種に切り替え表示することを指示するための他の文字種への切り替え用の文字種切替ガイドボタンを設定し、当該他の文字種への切り替え用の文字種切替ガイドボタンが選択された場合には、当該他の文字種への切り替え用の文字種切替ガイドボタンが指示する上記複数の設定文字種の夫々へ切り替えるための複数の文字種切替ガイドボタンを改めて設定するようになっている
ことを特徴とする文字入力装置。
【請求項７】
文字入力用ソフトキー部設定手段によって、表示機能と入力機能とを有するタッチパネルに、複数のソフトキーを有すると共に、予め定められた順序で配列された第１文字列の何れかを入力するための文字入力用ソフトキー部を設定する第１ステップと、
入力ガイド部設定手段によって、上記タッチパネルにおける上記文字入力用ソフトキー部によって選択された選択文字の近傍に、複数のガイドボタンで成る十字形ガイドボタン部と文字種切替ガイドボタンとを含むと共に、上記文字入力用ソフトキー部に対する次の操作方向を案内するための入力ガイド部を設定する第２ステップと、
制御手段によって、上記入力ガイド部のガイドボタンに基づいて、上記文字入力用ソフトキー部に対する操作内容を判定し、この操作内容の判定結果に応じて、上記文字入力用ソフトキー部における各ソフトキーの機能および表示と、上記入力ガイド部における各ガイドボタンの表示とを切り替え制御する第３ステップと
を備え、
上記十字形ガイドボタン部は、上記選択文字と同一文字種であって上記選択文字と特定の関係を有する文字列の何れかを入力する場合のスライド操作の方向を案内するための複数のガイドボタンが、上記選択文字を中央として十字形に配列されて成り、
上記文字種切替ガイドボタンは、上記十字形ガイドボタン部における中央のガイドボタンに隣接して、上記中央のガイドボタンの右上、上記中央のガイドボタンの右下、上記中央のガイドボタンの左上、上記中央のガイドボタンの左下の何れかに配置されたガイドボタンであって、上記文字入力用ソフトキー部から入力される文字の文字種を他の文字種へ切り替える場合のスライド操作の方向を案内するためのガイドボタンである
ことを特徴とする文字入力方法。
【請求項８】
コンピュータを、
請求項１における上記文字入力用ソフトキー部設定手段,上記入力ガイド部設定手段および上記制御手段
として機能させることを特徴とする文字入力プログラム。
【請求項９】
請求項８に記載の文字入力プログラムが記録されたことを特徴とするコンピュータ読出し可能なプログラム記録媒体。
【発明の詳細な説明】
【技術分野】
【０００１】
この発明は、タッチパネルによって文字を入力する文字入力装置,文字入力方法,文字入力プログラムおよびプログラム記録媒体に関する。
【背景技術】
【０００２】
タッチパネル上のソフトキーボードによって文字を入力する文字入力装置として、特開２０１１‐２３３０５１号公報(特許文献１)に開示された入力装置および特開２０１２‐８４０８６号公報(特許文献２)に開示された携帯電子機器がある。
【０００３】
上記入力装置においては、タッチパネル上の第１の領域に、例えば五十音のあ段「あかさたなはまやらわ」が表示されている状態で文字「か」がタッチされて選択されると、上記第１の領域の選択文字の上側に円弧状に「かきくけこ」を示す第２の領域が展開(表示)される。さらに、文字「か」の近傍に「濁点」を示す第３の領域が展開(表示)される。
【０００４】
そして、「濁点」を示す第３の領域がタッチされると、第２の領域の表示が「がぎぐげご」に変更されるようになっている。
【０００５】
また、上記携帯電子機器においては、表示部に表示された第１の入力候補中のかな文字「な」に対して、Ｔ1以上の長押しを行うと、当該接触文字「な」と第１の関係を有する文字種(子音が同一のかな文字)の第２の入力候補「な,に,ぬ,ね,の」が表示される。さらに、接触文字「な」に対してＴ2以上の長押しが継続されると、接触文字「な」と第２の関係を有する文字種(同一キーに割り当てられる数字や他の文字)の第３の入力候補「５,Ｊ,Ｋ,Ｌ」が、接触文字「な」を中心とする円形に表示されるようになっている。
【０００６】
すなわち、上記従来のソフトキーボードによって文字を入力する文字入力装置は、何れも、文字入力の際における文字種(平仮名,片仮名,英数字等)の切り替え操作方法に関するものである。第１の領域に表示された第１の入力候補中のかな文字を選択すると、同じ文字種の同グループを第２の入力候補として、第１の領域の近くの第２の領域に表示すると共に、別の文字種への切替え用のタッチ領域を、第２の領域とは別の第３の領域に表示する。そして、その第３の領域をタッチして入力候補文字の文字種別を変更することによって、現在の文字入力モードの文字種とは異なる文字種の文字の入力を容易にしている。
【０００７】
その場合、上記特許文献１の入力装置では、上記同じ文字種の同グループの上記第２の領域は、最初にタッチした第１の入力候補のかな文字の上側に表示し、上記第３の領域は最初にタッチしたかな文字の下側に表示している。
【０００８】
これに対し、上記特許文献２の携帯電子機器では、最初にタッチした第１の入力候補のかな文字を中心に、最初にタッチしたかな文字の周りに同文字種の同グループの上記第２の領域を矩形に表示し、その外側に上記第３の領域を円形に表示している。
【０００９】
しかしながら、上記従来のソフトキーボードによって文字を入力する入力装置においては、以下のような問題がある。
【００１０】
すなわち、上記特許文献１の入力装置においては、最初にタッチされた上記第１の領域の選択文字を挟んで上下の位置に、入力候補「か,き,く,け,こ」を示す上記第２の領域の選択ボタンと、上記第３の領域の「濁点」を示す文字種別切替ボタンとを配置している。そして、上記選択ボタンと上記文字種別切替ボタンとに触れることによって、選択された文字の文字種を設定するようにしている。したがって、上記選択ボタンと文字種別切替ボタンとの距離が遠く、タッチする指の移動量が大きくなって手間が掛かるという問題がある。
【００１１】
また、上記特許文献２の携帯電子機器においては、最初にタッチされた上記第１の入力候補のかな文字の周りに、入力候補「か,き,く,け,こ」を示す上記第２の領域の選択ボタンを配置し、さらにその外側に上記第３の領域の文字種別切替ボタンを円状に配置している。したがって、上記入力装置の場合と同様、タッチする指の移動量が大きくなって手間が掛かるという問題がある。さらに、上記文字種別切替ボタンを上記選択ボタンの外側に表示するために、上記文字種別切替ボタンを表示するためのスペースが大きくなるという問題もある。
【００１２】
以上のように、上記文字選択ボタンと文字種切替ボタンとの距離が遠く、タッチする指の移動量が大きくなって手間が掛かるということは、片手で指操作を行う携帯端末装置においては決定的に不利であり、非常に大きな問題となる。
【００１３】
さらに、何れの場合においても、上記ソフトキーボードをＬＣＤ(液晶)表示画面における端(下端)に配置する場合には、そのままではＬＣＤ(液晶)表示画面の表示可能領域をはみ出してしまうという問題がある。
【先行技術文献】
【特許文献】
【００１４】
【特許文献１】特開２０１１‐２３３０５１号公報
【特許文献２】特開２０１２‐８４０８６号公報
【発明の概要】
【発明が解決しようとする課題】
【００１５】
そこで、この発明の課題は、タッチパネルによって文字種混在の文章を入力する際の手間を削減できる文字入力装置,文字入力方法,文字入力プログラムおよびプログラム記録媒体を提供することにある。
【課題を解決するための手段】
【００１６】
上記課題を解決するため、この発明の文字入力装置は、
表示機能と入力機能とを有するタッチパネルと、
上記タッチパネルに、予め定められた順序で配列された第１文字列の何れかを選択するための複数のソフトキーで成る文字入力用ソフトキー部を設定する文字入力用ソフトキー部設定手段と、
上記タッチパネルにおける上記文字入力用ソフトキー部によって選択された選択文字の近傍に、上記文字入力用ソフトキー部に対する次の操作方向を案内するための複数のガイドボタンで成る入力ガイド部を設定する入力ガイド部設定手段と、
上記入力ガイド部のガイドボタンに基づいて、上記文字入力用ソフトキー部に対する操作内容を判定し、この操作内容の判定結果に応じて、上記文字入力用ソフトキー部における各ソフトキーの機能および表示と、上記入力ガイド部における各ガイドボタンの表示とを切り替え制御する制御手段と
を備え、
上記入力ガイド部は、
上記選択文字と同一文字種であって上記選択文字と特定の関係を有する文字列の何れかを入力する場合のスライド操作の方向を案内するための複数のガイドボタンが、上記選択文字を中央として十字形に配列されてなる十字形ガイドボタン部と、
上記十字形ガイドボタン部における中央のガイドボタンに隣接して、上記中央のガイドボタンの右上、上記中央のガイドボタンの右下、上記中央のガイドボタンの左上、上記中央のガイドボタンの左下の何れかに配置されたガイドボタンであって、上記文字入力用ソフトキー部から入力される文字の文字種を他の文字種へ切り替える場合のスライド操作の方向を案内するための文字種切替ガイドボタンと
を含んでいる
ことを特徴としている。
【００１７】
上記構成によれば、上記タッチパネルにおける上記文字入力用ソフトキー部によって選択された選択文字の近傍に、上記文字入力用ソフトキー部に対する次の操作方向を案内するための入力ガイド部が設定される。そして、上記入力ガイド部は、
上記選択文字と同一文字種であって上記選択文字と特定の関係を有する文字列の何れかを入力する場合のスライド操作の方向を案内するための複数のガイドボタンが、上記選択文字を中央として十字形に配列されてなる十字形ガイドボタン部と、
上記十字形ガイドボタン部における中央のガイドボタンに隣接して、上記中央のガイドボタンの右上、上記中央のガイドボタンの右下、上記中央のガイドボタンの左上、上記中央のガイドボタンの左下の何れかに配置されたガイドボタンであって、上記文字入力用ソフトキー部から入力される文字の文字種を他の文字種へ切り替える場合のスライド操作の方向を案内するための文字種切替ガイドボタンと
を含んでいる。
【００１８】
したがって、現在の文字入力モードに拘わらず、上記文字入力用ソフトキー部に指をタッチした後、そのタッチした位置から上記入力ガイド部のガイドボタンによる案内に従って指をスライド操作するだけで、入力文字の選択および入力文字種の切り替えを行うことができ、文字を入力する場合と入力文字の文字種を切り替える場合との指の移動量が少なく、入力の手間を少なくすることができる。
【００１９】
さらに、上記入力ガイド部を、複数のガイドボタンが十字形に配列された十字形ガイドボタン部と、上記十字形ガイドボタン部における中央のガイドボタンの右上、上記中央のガイドボタンの右下、上記中央のガイドボタンの左上、上記中央のガイドボタンの左下の何れかに配置されたガイドボタンとで構成しているので、上記入力ガイド部の大きさは、上記十字形ガイドボタン部の高さおよび幅と同じ高さおよび幅になる。したがって、上記入力ガイド部をコンパクトに構成することができ、上記タッチパネル上を占めるスペースを小さくすることが可能になる。
【００２０】
また、１実施の形態の文字入力装置では、
上記文字入力用ソフトキー部による入力文字の選択および切替文字種の選択は、上記入力ガイド部の上記十字形ガイドボタン部における中央のガイドボタンから目的とする文字あるいは文字種のガイドボタンへの方向と同じ方向に、上記文字入力用ソフトキー部上でスライド操作が行われた場合に行うようになっている。
【００２１】
この実施の形態によれば、上記文字入力用ソフトキー部によって入力文字を選択する場合には、上記十字形ガイドボタン部における中央のソフトキーから目的とする文字のガイドボタンに向かう方向をガイドとして、上記文字入力用ソフトキー部上で指が上下左右にスライド操作される。これに対し、上記文字入力用ソフトキー部によって切替文字種を選択する場合には、上記十字形ガイドボタン部における中央のガイドボタンから目的とする文字種のガイドボタンに向かう方向をガイドとして、上記文字入力用ソフトキー部上で指が斜め方向にスライド操作される。
【００２２】
したがって、上記文字入力用ソフトキー部上で指をスライドさせる方向によって入力文字の選択と切替文字種の選択とを区別することができ、誤った方向へのスライド操作による誤操作を少なくすることができる。
【００２３】
また、１実施の形態の文字入力装置では、
上記制御手段は、上記文字入力用ソフトキー部によって切替文字種の選択が行われた場合には、上記文字入力用ソフトキー部における各ソフトキーの機能および表示、および、上記十字形ガイドボタン部における各ガイドボタンの表示を、上記選択された文字種に応じて切り替えるようになっている。
【００２４】
この実施の形態によれば、上記文字入力用ソフトキー部における各ソフトキーの機能および表示、および、上記十字形ガイドボタン部における各ガイドボタンの表示を、上記文字入力用ソフトキー部によって選択された文字種に応じて切り替えるので、上記文字入力用ソフトキー部から選択される文字と引き続いて上記十字形ガイドボタン部によって案内される文字との文字種を同時に切り替えることができ、次とその次に行われる文字入力を速やかに行うことができる。
【００２５】
また、１実施の形態の文字入力装置では、
上記入力ガイド部設定手段は、上記文字入力用ソフトキー部によって切替文字種の選択が行われた場合には、上記文字種切替ガイドボタンを、上記選択された文字種に応じて再設定するようになっている。
【００２６】
上記文字入力用ソフトキー部に表示されている文字とその文字種とにより、次に切り替え可能な文字種が決まってくる。例えば、文字「さ」は半濁音に切り替えることができない。
【００２７】
この実施の形態によれば、上記文字種切替ガイドボタンが、選択された文字種に応じて再設定されるので、次の切替文字種の選択時に、現在上記文字入力用ソフトキー部に表示されている文字に対して設定されていない文字種への誤った切り替えを防止できる。
【００２８】
また、１実施の形態の文字入力装置では、
上記入力ガイド部設定手段は、上記文字入力用ソフトキー部における表示画面の縁に位置している上記ソフトキーが選択された際に、上記入力ガイド部における上記表示画面の上記縁側に設定される文字種切替ガイドボタンがある場合には、当該文字種切替ガイドボタンと同じ文字種に切り替えるための当該文字種切替ガイドボタンとは異なる文字種切替ガイドボタンを、当該文字種切替ガイドボタンとは異なる位置に設定するようになっている。
【００２９】
この実施の形態によれば、上記表示画面の縁に位置しているために操作しにくい上記文字入力用ソフトキー部のソフトキーに対して無理に上記縁側にスライド操作を行う必要が無く、当該文字種切替ガイドボタンとは異なる位置に設定された文字種切替ガイドボタンを案内として、上記文字入力用ソフトキー部上において操作しやすい方向にスライド操作を行うことによって、当該文字種切替ガイドボタンと同じ文字種に切り替えることができる。
【００３０】
また、１実施の形態の文字入力装置では、
上記入力ガイド部設定手段は、上記文字種切替ガイドボタンの全てを同時に設定できない場合には、先ず予め設定された複数の設定文字種に切り替え表示することを指示するための他の文字種への切り替え用の文字種切替ガイドボタンを設定し、当該他の文字種への切り替え用の文字種切替ガイドボタンが選択された場合には、当該他の文字種への切り替え用の文字種切替ガイドボタンが指示する上記複数の設定文字種の夫々へ切り替えるための複数の文字種切替ガイドボタンを改めて設定するようになっている。
【００３１】
この実施の形態によれば、上記文字種切替ガイドボタンの全てを同時に設定できない場合であっても、先ず、複数の設定文字種への切り替えを指示するための他の文字種への切り替え用の文字種切替ガイドボタンを設定し、当該他の文字種への切り替え用の文字種切替ガイドボタンが選択された場合には、次に、上記複数の設定文字種の夫々へ切り替えるための複数の文字種切替ガイドボタンを設定することによって、対処することが可能になる。
【００３２】
また、この発明の文字入力方法は、
文字入力用ソフトキー部設定手段によって、表示機能と入力機能とを有するタッチパネルに、複数のソフトキーを有すると共に、予め定められた順序で配列された第１文字列の何れかを入力するための文字入力用ソフトキー部を設定する第１ステップと、
入力ガイド部設定手段によって、上記タッチパネルにおける上記文字入力用ソフトキー部によって選択された選択文字の近傍に、複数のガイドボタンで成る十字形ガイドボタン部と文字種切替ガイドボタンとを含むと共に、上記文字入力用ソフトキー部に対する次の操作方向を案内するための入力ガイド部を設定する第２ステップと、
制御手段によって、上記入力ガイド部のガイドボタンに基づいて、上記文字入力用ソフトキー部に対する操作内容を判定し、この操作内容の判定結果に応じて、上記文字入力用ソフトキー部における各ソフトキーの機能および表示と、上記入力ガイド部における各ガイドボタンの表示とを切り替え制御する第３ステップと
を備え、
上記十字形ガイドボタン部は、上記選択文字と同一文字種であって上記選択文字と特定の関係を有する文字列の何れかを入力する場合のスライド操作の方向を案内するための複数のガイドボタンが、上記選択文字を中央として十字形に配列されて成り、
上記文字種切替ガイドボタンは、上記十字形ガイドボタン部における中央のガイドボタンに隣接して、上記中央のガイドボタンの右上、上記中央のガイドボタンの右下、上記中央のガイドボタンの左上、上記中央のガイドボタンの左下の何れかに配置されたガイドボタンであって、上記文字入力用ソフトキー部から入力される文字の文字種を他の文字種へ切り替える場合のスライド操作の方向を案内するためのガイドボタンである
ことを特徴としている。
【００３３】
上記構成によれば、文字を入力する場合と入力文字の文字種を切り替える場合との指の移動量が少なく、入力の手間を少なくすることができる。
【００３４】
さらに、上記入力ガイド部を、複数のガイドボタンが十字形に配列された十字形ガイドボタン部と、上記十字形ガイドボタン部における中央のガイドボタンの右上、上記中央のガイドボタンの右下、上記中央のガイドボタンの左上、上記中央のガイドボタンの左下の何れかに配置されたガイドボタンとで構成しているので、上記入力ガイド部の大きさは、上記十字形ガイドボタン部の高さおよび幅と同じ高さおよび幅になる。したがって、上記入力ガイド部をコンパクトに構成することができ、上記タッチパネル上を占めるスペースを小さくすることが可能になる。
【００３５】
また、この発明の文字入力プログラムは、
コンピュータを、
上記この発明の文字入力装置における上記文字入力用ソフトキー部設定手段,上記入力ガイド部設定手段および上記制御手段
として機能させることを特徴としている。
【００３６】
また、この発明のプログラム記録媒体は、
上記この発明の文字入力プログラムが記録されたことを特徴としている。
【００３７】
上記文字入力プログラムおよび上記プログラム記録媒体の構成によれば、文字を入力する場合と入力文字の文字種を切り替える場合との指の移動量が少なく、入力の手間を少なくすることができる。
【００３８】
さらに、上記入力ガイド部の大きさは、上記十字形ガイドボタン部の高さおよび幅と同じ高さおよび幅になるので、上記入力ガイド部をコンパクトに構成することができ、上記タッチパネル上を占めるスペースを小さくすることが可能になる。
【発明の効果】
【００３９】
以上より明らかなように、この発明によれば、タッチパネルにおける文字入力用ソフトキー部によって選択された選択文字の近傍に、上記文字入力用ソフトキー部に対する次の操作方向を案内するための入力ガイド部が設定される。そして、上記入力ガイド部は、
上記選択文字と同一文字種であって上記選択文字と特定の関係を有する文字列の何れかを入力する場合のスライド操作の方向を案内するための複数のガイドボタンが、上記選択文字を中央として十字形に配列されてなる十字形ガイドボタン部と、
上記十字形ガイドボタン部における中央のガイドボタンに隣接して、上記中央のガイドボタンの右上、上記中央のガイドボタンの右下、上記中央のガイドボタンの左上、上記中央のガイドボタンの左下の何れかに配置されたガイドボタンであって、上記文字入力用ソフトキー部から入力される文字の文字種を他の文字種へ切り替える場合のスライド操作の方向を案内するための文字種切替ガイドボタンと
を含んでいる。
【００４０】
したがって、現在の文字入力モードに拘わらず、上記文字入力用ソフトキー部に指をタッチした後、そのタッチした位置から上記入力ガイド部のガイドボタンによる案内に従って指をスライド操作するだけで、入力文字の選択および入力文字種の切り替えを行うことができ、文字を入力する場合と入力文字の文字種を切り替える場合との指の移動量が少なく、入力の手間を少なくすることができる。
【００４１】
さらに、上記入力ガイド部の大きさは、上記十字形ガイドボタン部の高さおよび幅と同じ高さおよび幅になる。したがって、上記入力ガイド部をコンパクトに構成することができ、上記タッチパネル上を占めるスペースを小さくすることが可能になる。
【００４２】
すなわち、片手での指操作の操作性が高いことと小型であることが重要な携帯端末装置に好適な文字入力方式を提供することができるのである。
【図面の簡単な説明】
【００４３】
【図１】この発明の入力装置が搭載された携帯端末装置における外観図である。
【図２】図１に示す携帯端末装置の機能構成を示すブロック図である。
【図３】図２における記憶部の文字表記データ記憶領域の記憶内容の模式図である。
【図４】図１におけるタッチパネルの表示例を示す図である。
【図５】図４におけるソフトキーに対する指の操作方法とタッチパネルの表示内容の変遷とを示す図である。
【図６】図２における制御部によって実行される文字入力処理動作のフローチャートである。
【図７】図６に続く文字入力処理動作のフローチャートである。
【図８】図４における「１２ソフトキー部」および「入力ガイド部」に対する具体的な操作例を示す図である。
【図９】図８とは異なる「入力ガイド部」の表示例を示す図である。
【図１０】図４とは異なるタッチパネルの表示例を示す図である。
【図１１】図８および図９とは異なる「入力ガイド部」の表示例を示す図である。
【図１２】図８,図９および図１１とは異なる「入力ガイド部」の表示例を示す図である。
【発明を実施するための形態】
【００４４】
以下、この発明を図示の実施の形態により詳細に説明する。
【００４５】
・第１実施の形態
図１は、本第１実施の形態の文字入力装置が搭載された携帯端末装置における外観図である。
【００４６】
本携帯端末装置は、スマートフォン(商品名)であり、図１に示すように、筺体１と、この筺体１の表面に配置されるタッチパネル２とを有している。
【００４７】
上記タッチパネル２は、表示機能と入力機能とを有し、タッチパネル２に表示されるアイコン等のタッチキー(以下、ソフトキーという場合もある)を、指でタッチすることにより、操作可能となっている。タッチパネル２の下側には通話用マイク３が配置され、タッチパネル２の上側には通話用スピーカ４が配置されている。
【００４８】
図２は、図１に示す携帯端末装置の機能構成を示すブロック図である。図２において、本携帯端末装置は、タッチパネル２,操作キー５,記憶部６,通信部７および制御部８を備えている。
【００４９】
上記タッチパネル２は、表示機能と入力機能とを有するもので、例えばＬＣＤ(Liquid Crystal Display：液晶ディスプレイ)パネル等の表示デバイス９と透明の位置入力デバイス１０とが積層されて構成され、表示デバイス９の表示内容が位置入力デバイス１０を通して見えるようになっている。そして、表示デバイス９には、後に詳述するように、ソフトウェアキーボードや入力ガイドや入力文字列等が表示される。
【００５０】
上記操作キー５は、例えば電源キー等のタッチパネル２に表示されるソフトキー以外のキーである。
【００５１】
上記記憶部６は、各種機能を実行するためのプログラムやデータ情報を記憶する。通信部７は、無線装置(図示せず)を介して、電話局等と信号を送受する。
【００５２】
上記制御手段の一例としての制御部８は、タッチパネル２の位置入力デバイス１０,マイク３,操作キー５,記憶部６,通信部７等から信号を受け、種々の処理を行って、タッチパネル２の表示デバイス９,スピーカ４,記憶部６,通信部７等に信号を出力する。
【００５３】
以下、上記構成の携帯端末装置における文字入力機能に付いて、詳細に説明する。
【００５４】
上記記憶部６には、「文字表記データ記憶領域」,「切替文字種情報記憶領域」および「選択文字列格納領域」が設けられている。上記文字表記データ記憶領域には、本文字入力機能によって入力可能な文字の表記データが、平仮名,片仮名,英数字の文字入力モード毎に表示位置別に記憶されている。また、上記切替文字種情報記憶領域には、文字種を切り替える場合のソフトキーに関する情報が記憶されている。また、上記選択文字列格納領域には、位置入力デバイス１０の操作によって選択された入力文字列が格納される。
【００５５】
図３は、上記記憶部６における上記文字表記データ記憶領域の記憶内容を模式的に表したものである。文字表記データ記憶領域１１は、平仮名モード領域１２と、片仮名モード領域１３と、英数字モード領域１４とに分割され、各領域１２,１３,１４にはキー表記部１２a,１３a,１４aと入力候補文字表記部１２b,１３b,１４bとが設けられている。
【００５６】
上記キー表記部１２a,１３a,１４aには、表示デバイス９上の「１２ソフトキー部」に表示されるキー表記文字の表記データが格納されている。ここで、「１２ソフトキー部」とは、上記特許請求の範囲における上記文字入力用ソフトキー部の一例であり、上記ソフトウェアキーボード上において、４行３列に配列された１２個のソフトキーで構成されている。また、「１２ソフトキー部」に表示されるキー表記文字とは、母音が/ａ/である１０文字である。
【００５７】
また、上記入力候補文字表記部１２b,１３b,１４bには、上記表示デバイス９上において、縦横３個のキーが十字形に配列された５個のガイドボタンを含む「入力ガイド部」に表示されるキー表記文字の表記データが格納されている。ここで、「入力ガイド部」に表示されるキー表記文字とは、平仮名モードおよび片仮名モードの場合には、上記キー表記文字と子音が同じ５文字である。また、英数字モードの場合には、上記キー表記文字と同じ文字および数字である。
【００５８】
また、上記「ガイドボタン」とは、使用者が上記「１２ソフトキー部」から入力文字を選択する場合における操作位置や操作方向を案内するための単なる「ボタン」の画像であり、ソフトキーとしての機能は有していない。
【００５９】
すなわち、本実施の形態においては、上記特許請求の範囲における「予め定められた順序で配列された第１文字列」の一例として、母音が/ａ/の「あかさたなはまやらわ」を用いており、「選択文字と特定の関係を有する文字列」の一例として、選択文字(か)と子音が同じ５文字(かきくけこ)を用いている。
【００６０】
ここで、上記入力候補文字表記部１２b,１３b,１４bにおける「中,左,上,右,下」は、上記「入力ガイド部」におけるキー表記文字の位置を表している。具体的に、「中」は十字形に配列された５個のガイドボタンの中央に表示されるキー表記文字であり、平仮名モードおよび片仮名モードの場合には、キー表記部１２a,１３aに格納されたキー表記文字がこれに当たる。また、英数字モードの場合には、キー表記部１４aに格納されたキー表記文字列における最初に記載されたキー表記文字がこれに当たる。「左」は上記中央に対して左側に表示されるキー表記文字である。以下同様に、「上」は上記中央に対して上側に、「右」は右側に、「下」は下側に表示されるキー表記文字である。
【００６１】
また、上記「入力ガイド部」には、上述した十字形に配列された５個のガイドボタンに加えて、文字種切り替え用のガイドボタンが設けられている。
【００６２】
表１は、上記平仮名モード時での上記切替文字種情報であり、「切り替える文字種」と「ガイドボタンの位置」と「十字形の中央に位置するキー表記文字」との関係を示す。但し、表中「○」は設定あり、「−」は設定無しを示す。
【００６３】
【表１】
2014039215.tif 000003
【００６４】
表２は、上記片仮名モード時での上記切替文字種情報であり、「切り替える文字種」と「ガイドボタンの位置」と「十字形の中央に位置するキー表記文字」との関係を示す。但し、表中「○」は設定あり、「−」は設定無しを示す。
【００６５】
【表２】
2014039215.tif 000004
【００６６】
表３は、上記英数字モード時での上記切替文字種情報であり、「切り替える文字種」と「ガイドボタンの位置」と「キー表記文字」との関係を示す。但し、表中「○」は設定あり、「−」は設定無しを示す。
【００６７】
【表３】
2014039215.tif 000005
【００６８】
表１〜表３に示す各モード時における上記切替文字種情報は、記憶部６の上記「切替文字種情報記憶領域」に記憶されている。
【００６９】
図４に、上記タッチパネル２の表示例を示す。タッチパネル２の表示画面１５の下部中央には、４行３列に配列された１２個のソフトキーから成る「１２ソフトキー部」１６が表示されている。この表示例では平仮名モードであり、１２ソフトキー１６には、平仮名モード時のキー表記文字「あかさたなはまやらわ」と、「”。」と「？」とが表示されている。
【００７０】
また、上記１２ソフトキー部１６における選択文字(後に述べるようにして選択された文字であり、図４の表示例では「か」)の近傍には、縦横３個のガイドボタンが十字形に配列された５個のガイドボタン(以下、十字形ガイドボタン部１７aと言う)を含む「入力ガイド部」１７が、一部が１２ソフトキー１６と重なって表示されている。「入力ガイド部」１７の十字形ガイドボタン部１７aには、１２ソフトキー１６で選択された選択文字「か」に基づいて、記憶部６の文字表記データ記憶領域１１における平仮名モード領域１２の入力候補文字表記部１２bから読み出されたキー表記文字「かきくけこ」が、指定された位置、つまり、中央には「か」が、その左側には「き」が、上側に「く」が、右側に「け」が、下側に「こ」が表示されている。
【００７１】
さらに、上記「入力ガイド部」１７には、上述した十字形に配列された５個の十字形ガイドボタン部１７aに加えて、文字種切り替え用の文字種切替ガイドボタン１７b,１７cが表示されている。図４の表示例では平仮名モードであるために、記憶部６の上記切替文字種情報記憶領域に記憶されている表１から、選択文字「か」に基づいて読み出された切り替え可能な文字種を表す「カナ」および「英」が、ガイドボタンの位置「右上」の文字種切替ガイドボタン１７bと「右下」の文字種切替ガイドボタン１７cとに表示されている。
【００７２】
図４のように表示された「１２ソフトキー部」１６から入力候補文字を指定する場合には、ソフトキーに対する「タッチ操作」と「フリック操作」と「リリース操作」を行う。ここで、上記「タッチ操作」とは、指でソフトキーにタッチすることである。また、「リリース操作」とは、ソフトキーにタッチしていた指を離すことである。
【００７３】
また、上記「フリック操作」とは、一般に
・指をソフトキーにタッチし、表示画面１５上で指を短い時間だけ滑らせながらリリースする操作(はじく操作)。
あるいは
・指をソフトキーにタッチし、表示画面１５上で指をタッチしたまま一定以上の距離を滑らせる操作(スライド操作)。
の２つの操作を言う。
【００７４】
図５に、上記ソフトキーに対する指の操作方法と「１２ソフトキー部」１６および「入力ガイド部」１７の表示内容の変遷とを示す。但し、図５(a)はフリック操作の内容を示し、図５(b)は「入力ガイド部」１７の表示内容の変遷を示し、図５(c)は「１２ソフトキー部」１６の表示内容の変遷を示す。ここで、本明細書において入力候補文字および切替文字種を指定する場合の「フリック操作」は、上記２つの操作のうちの上記「スライド操作」のみを想定する。したがって、以下においては、上記「はじく操作」との混同を避けるため、単に「スライド操作」と言う。
【００７５】
先ず、上記平仮名モードが初期設定されると、図５(c)‐(い)に示すように、「１２ソフトキー部」１６に、キー表記文字「あかさたなはまやらわ」と「”。」および「？」とが表示される。この状態で、文字「な」が指でタッチされると、図５(b)‐(イ)に示すように、「入力ガイド部」１７の十字形ガイドボタン部１７aにキー表記文字列「なにぬねの」が表示されると共に、選択文字「な」のガイドボタンが選択文字であることを表す色(図５(b)ではハッチングで表示)で表示される。さらに、文字種切替ガイドボタン１７bに「カナ」が表示され、文字種切替ガイドボタン１７cに「英」が表示される。この状態において、「１２ソフトキー部」１６の「な」をタッチしている指が、図５(a)‐(Ａ)に示すように、右上方向にスライド操作されると、文字入力モードが上記片仮名モードに変更される。
【００７６】
その結果、図５(c)‐(ろ)に示すように、上記１２ソフトキー１６の表示内容が片仮名のキー表記文字「アカサタナハマヤラワ」と「”。」および「？」とに切り替えられる。また、図５(b)‐(ロ)に示すように、「入力ガイド部」１７の十字形ガイドボタン部１７aの表示内容が片仮名のキー表記文字「ナニヌネノ」切り替えられる。さらに、「右上」の文字種切替ガイドボタン１７bが削除され、「左下」の文字種切替ガイドボタン１７dに平仮名を表す「か」が表示される。尚、「右下」の文字種切替ガイドボタン１７cの表示はそのままである。
【００７７】
この状態において、引き続き「１２ソフトキー部」１６に対して、図５(a)‐(Ｂ)に示すように、指を右方向にスライドするスライド操作が行われると、十字形ガイドボタン部１７aによるガイドに基づいて入力候補文字「ネ」が選択されると共に、十字形ガイドボタン部１７aにおける選択文字を示すガイドボタンの色が、「ナ」から「ネ」のガイドボタンに遷移する。そして、指がリリースされると入力文字「ネ」が確定される。そうすると、図５(b)‐(ニ)に示すように「入力ガイド部」１７が消去される。尚、図５(c)‐(に)に示すように、１２ソフトキー１６の表示内容は片仮名のままである。そして、次の文字入力時には、図５(c)‐(に)に示す上記片仮名モードで開始される。
【００７８】
すなわち、本実施の形態においては、上記１２ソフトキー１６に対する選択文字の指定および切替文字種の指定は、上記「入力ガイド部」１７のガイドボタンを案内とする「タッチ操作」,「スライド操作」および「リリース操作」によって行うのである。
【００７９】
ここで、上述のように確定された入力文字「ネ」は、記憶部６の上記「選択文字列格納領域」に格納される。
【００８０】
ところで、上記機能的構成を有する携帯端末装置の具体的ハードウェア構成は、後述する各種の処理を実行するプログラムを含む各種プログラムを記憶するプログラムメモリ、各種情報を記憶するデータメモリ、インターネット等の通信ネットワークと接続する通信Ｉ/Ｆ、入力装置、出力装置、表示装置、外部記録媒体がセットされてこの外部記録媒体をアクセスする外部補助記憶装置、上記プログラムメモリ,データメモリ,通信Ｉ/Ｆ,入力装置,出力装置,表示装置および外部補助記憶装置等を制御して、入力文字や提示情報の決定等を実行するＣＰＵ(中央演算処理装置)等で成る。
【００８１】
すなわち、上記制御部８は上記ＣＰＵで構成され、記憶部６は上記データメモリや外部補助記憶装置で構成され、タッチパネル２は上記表示装置および上記入力装置で構成されるのである。また、上記ＣＰＵは、上述した各部２,５〜７による本実施の形態に係る処理動作の他に、演算・判断処理,計時処理および入出力処理等の各種の処理動作をも行うようになっている。
【００８２】
図６および図７は、上述のように構成された携帯端末装置の制御部８によって実行される文字入力処理動作のフローチャートである。以下、図６および図７にしたがって、文字入力処理動作に付いて説明する。記憶部６に記憶された文字入力用のアプリケーションプログラムが起動されると文字入力処理動作がスタートする。
【００８３】
ステップＳ1で、上記文字入力モードが「平仮名モード」に初期設定される。ステップＳ2で、タッチパネル２の表示画面１５に「１２ソフトキー部」１６が設定され、「１２ソフトキー部」１６の各ソフトキーに文字「あかさたなはまやらわ」および記号「”。」,「？」が割り当てられて表示される。ステップＳ3で、「１２ソフトキー部」１６中における１０キーエリア内で、ソフトキーに対するタッチが検出された否かが判別される。その結果、タッチされていればステップＳ4に進む。一方、そうでなければステップＳ21に進む。ここで、上記「１０キーエリア」とは、「１２ソフトキー部」１６から「”。」キーと「？」キーとを除いたエリアである。
【００８４】
ステップＳ4で、上記タッチパネル２を構成する位置入力デバイス１０からの位置信号に基づいてタッチパネル２上のタッチ座標が求められ、このタッチ座標に基づいて上記１０キーエリア内におけるタッチされたソフトキーが特定される。ステップＳ5で、上記タッチされたソフトキーに割り当てられている平仮名文字のグループに入力候補文字が存在すると認識される。さらに、当該グループの先頭文字(例えば、あ段のグループであれば文字「あ」)が入力候補文字として設定される。
【００８５】
ステップＳ6で、上記タッチパネル２の表示画面１５における上記タッチされたソフトキーの近傍に「入力ガイド部」１７が設定され、「入力ガイド部」１７中における十字形ガイドボタン部１７aに、上記ステップＳ3においてタッチされた文字を先頭とする子音が同じ５文字が表示される。
【００８６】
さらに、上記文字入力モードが「平仮名モード」の場合には、十字形ガイドボタン部１７aの中央に対して右上の位置に片仮名切り替え用の文字種切替ガイドボタン１７bが設定されて「カナ」が表示され、右下の位置に英数字切り替え用の文字種切替ガイドボタン１７cが設定されて「英」が表示される。以下同様に、「片仮名モード」の場合には、英数字切り替え用の文字種切替ガイドボタン１７cと平仮名切り替え用の文字種切替ガイドボタン１７dとが設定・表示される。また、「英数字モード」の場合には、片仮名切り替え用の文字種切替ガイドボタン１７bと平仮名切り替え用の文字種切替ガイドボタン１７dとが設定・表示される。
【００８７】
ステップＳ7で、上記タッチパネル２の表示画面１５上に設定された「１２ソフトキー部」１６内で、上記リリースが検出された否かが判別される。その結果、リリースが検出されていればステップＳ19に進む。一方、そうでなければステップＳ8に進む。ステップＳ8で、「１２ソフトキー部」１６内で、上記スライド操作が検出された否かが判別される。その結果、検出されていればステップＳ9に進む一方、検出されていなければ上記ステップＳ7にリターンして、リリースされるかスライド操作されるのを待つ。
【００８８】
ステップＳ9で、上記スライド操作の方向が上下左右の何れかの方向であるか否かが判別される。その結果、上下左右の何れかの方向であればステップＳ10に進み、そうでなければステップＳ11に進む。ステップＳ10で、上記スライド操作の方向に応じて、十字形ガイドボタン部１７aの中央に対して上記スライド方向に位置しているガイドボタンに割り当てられている文字が、入力候補文字として設定される。そうした後、上記ステップＳ7にリターンして、入力候補文字の確定に移行する。
【００８９】
ステップＳ11で、上記スライド操作の方向が第１の方向であるか否かが判別される。その結果、第１の方向であればステップＳ12に進み、そうでなければステップＳ15に進む。
【００９０】
ここで、本実施の形態においては、各文字入力モード毎に２つの文字種切替ガイドボタンが設定されている。そのうち、十字形ガイドボタン部１７aの中央に対して上側を基準として右回りに捜査した場合に最初に出現する文字種切替ガイドボタンの上記中央からの方向を上記第１の方向とする。これに対し、他の文字種切替ガイドボタンの上記中央からの方向を第２の方向とする。
【００９１】
したがって、上記「平仮名モード」の場合には、片仮名切り替え用の文字種切替ガイドボタン１７bの方向が上記第１の方向であり、英数字切り替え用の文字種切替ガイドボタン１７cの方向が上記第２の方向である。「片仮名モード」および「英数字モード」の場合にも同様に、上記第１の方向および上記第２の方向が決まる。
【００９２】
ステップＳ12で、上記文字入力モードが、上記ステップＳ11において判別されたスライド操作方向に応じた文字種の文字入力モードに変更される。すなわち、上記「平仮名モード」の場合には「片仮名モード」に変更され、上記「片仮名モード」の場合には「英数字モード」に変更され、上記「英数字モード」の場合には「片仮名モード」に変更されるのである。
【００９３】
ステップＳ13で、「１２ソフトキー部」１６および「入力ガイド部」１７の十字形ガイドボタン部１７aの文字表示が、上記ステップＳ12で変更された文字入力モードでの文字種に変更される。
【００９４】
すなわち、上記「平仮名モード」および「英数字モード」の場合は、「１２ソフトキー部」１６が「アカサタナハマヤラワ」に変更され、十字形ガイドボタン部１７aの文字表示が片仮名に変更される。さらには、英数字切り替え用の文字種切替ガイドボタン１７c（「英」が表示)と、平仮名切り替え用の文字種切替ガイドボタン１７d(「か」が表示)とに変更される。また、上記「片仮名モード」の場合にも同様に、「１２ソフトキー部」１６および「入力ガイド部」１７の表示が変更される。
【００９５】
ステップＳ14で、上記ステップＳ10等において既に設定されている入力候補文字が、上記ステップＳ12で変更された文字入力モードでの文字種に変更される。そうした後、上記ステップＳ7にリターンして、入力候補文字の確定に移行する。
【００９６】
ステップＳ15で、上記スライド操作の方向が、上記第２の方向であるか否かが判別される。その結果、第２の方向であればステップＳ16に進む一方、そうでなければ上記ステップＳ3にリターンする。以下、ステップＳ16〜ステップＳ18で、上記ステップＳ12〜ステップＳ14の場合と同様にして、文字入力モードの変更と、「１２ソフトキー部」１６および「入力ガイド部」１７の変更と、入力候補文字の変更とが行われる。そうした後、上記ステップＳ7にリターンして、入力候補文字の確定に移行する。
【００９７】
ステップＳ19で、既に設定されている入力候補文字が入力文字として確定される。そして、この確定された入力文字が記憶部６の上記選択文字列格納領域に格納されると共に、タッチパネル２の表示画面１５に設けられた入力文字表示エリアに表示される。ステップＳ20で、「入力ガイド部」１７が消去される。そうした後、上記ステップＳ3にリターンして、次の文字入力に移行する。
【００９８】
ステップＳ21で、上記ステップＳ3において最初に１０キーエリアに対してタッチがないと判別されてから、予め設定された設定時間が経過しているか否かが判別される。その結果、経過していれば、文字入力処理動作が終了される。
【００９９】
以下、具体例を上げて、上記文字入力処理動作を更に詳細に説明する。
【０１００】
図８は、既に入力文字「特許」が確定され、表示画面１５の入力文字表示エリア１８に表示された状態から、次の文字を入力する場合における「１２ソフトキー部」１６に対する具体的な操作例を示す。以下、図６〜図８に従って、上記文字入力処理動作を具体的に説明する。
【０１０１】
図８(a)では、上記表示画面１５の入力文字表示エリア１８に入力文字「特許」が表示されており、「１２ソフトキー部」１６には平仮名「あかさたなはまやらわ」および記号「”。」,「？」が表示されている。上記文字入力モードが「平仮名モード」時に、平仮名の文字「とっきょ」が入力され、図６に示す文字入力処理動作のフローチャートのステップＳ19において入力文字「とっきょ」が確定され、その後かな漢字変換処理が実行されて「特許」に変換されると図８(a)の状態となる。
【０１０２】
この状態で、上記「１２ソフトキー部」１６中の文字「な」のソフトキーがタッチされると、図６に示すフローチャートのステップＳ3〜Ｓ6によって、図８(b)に示すように、「入力ガイド部」１７が設定され、十字形ガイドボタン部１７aに、選択文字「な」と子音が同じ５文字「なにぬねの」が表示される。さらに、片仮名切り替え用の文字種切替ガイドボタン１７bが設定されて「カナ」が表示され、英数字切り替え用の文字種切替ガイドボタン１７cが設定されて「英」が表示される。
【０１０３】
次に、図８(b)に示すように、上記「１２ソフトキー部」１６の選択文字「な」に対して、右方向へのスライド操作が行われると、フローチャートのステップＳ7〜Ｓ10によって、図８(c)に示すように、十字形ガイドボタン部１７a中の文字「ね」が選択されて入力候補文字として設定される。そして、十字形ガイドボタン部１７aにおける選択文字を示すガイドボタンの色(図８ではハッチング表示)が、「な」のガイドボタンから「ね」のガイドボタンに遷移する。そして、「１２ソフトキー部」１６から指がリリースされると、フローチャートのステップＳ7,Ｓ19によって、入力候補文字「ね」が入力文字として確定され、図８(d)に示すように、入力文字表示エリア１８に表示される。
【０１０４】
また、図８(a)に示す「１２ソフトキー部」１６の選択文字「な」に対して、図８(e)に示すように、右斜め上への「スライド操作」が行われて片仮名切り替え用の文字種切替ガイドボタン１７bが選択されると、フローチャートのステップＳ7〜Ｓ9,Ｓ11〜Ｓ14によって、図８(f)に示すように、十字形ガイドボタン部１７aの表示が片仮名「ナニヌネノ」に変更される。また、入力候補文字が「ナ」に設定される。さらに、英数字切り替え用の文字種切替ガイドボタン１７c(「英」が表示)と、平仮名切り替え用の文字種切替ガイドボタン１７d(「か」が表示)とが表示される。
【０１０５】
次に、図８(f)に示すように、上記「１２ソフトキー部」１６上で右方向へのスライド操作とリリースとが行われると、上記フローチャートのステップＳ7〜Ｓ10,Ｓ7,Ｓ19によって、図８(g)および図８(h)に示すように、十字形ガイドボタン部１７a中の文字「ネ」が選択されて入力文字として確定されて、入力文字表示エリア１８に表示される。
【０１０６】
また、図８(a)に示す「１２ソフトキー部」１６の選択文字「な」に対して、図８(i)に示すように、右斜め下への「スライド操作」が行われて英数字切り替え用の文字種切替ガイドボタン１７cが選択されると、フローチャートのステップＳ7〜Ｓ9,Ｓ11,Ｓ15〜Ｓ18により、図８(j)に示すように、十字形ガイドボタン部１７aの表示が片仮名「ＪＫＬ５」に変更される。また、入力候補文字が「Ｊ」に設定される。さらに、片仮名切り替え用の文字種切替ガイドボタン１７b(「カナ」が表示)と、平仮名切り替え用の文字種切替ガイドボタン１７d(「か」が表示)とが表示される。
【０１０７】
次に、図８(j)に示すように、上記「１２ソフトキー部」１６上で左方向へのスライド操作とリリースとが行われると、上記フローチャートのステップＳ7〜Ｓ10,Ｓ7,Ｓ19によって、図８(k)および図８(l)に示すように、十字形ガイドボタン部１７a中の文字「Ｋ」が選択されて入力文字として確定され、入力文字表示エリア１８に表示されるのである。
【０１０８】
以上のごとく、本実施の形態においては、表示機能と入力機能とを有するタッチパネル２に、制御部８によって、予め定められた順序で配列された第１文字列「あかさたなはまやらわ」の何れかを選択するための複数のソフトキーで成る「１２ソフトキー(文字入力用ソフトキー部)」１６を設定し、タッチパネル２における「１２ソフトキー」１６によって選択された選択文字の近傍に、「１２ソフトキー」１６に対する次の操作方向を案内するための複数のガイドボタンで成る「入力ガイド部」１７を設定し、「入力ガイド部」１７のガイドボタンに基づいて、「１２ソフトキー」１６に対する操作内容を判定し、この操作内容の判定結果に応じて、「１２ソフトキー」１６における各ソフトキーの機能および表示と、「入力ガイド部」１７における各ガイドボタンの表示とを切り替え制御するようにしている。
【０１０９】
その際に、上記「入力ガイド部」１７を、
上記選択文字と同一文字種であって上記選択文字と特定の関係を有する(同じ子音を有する)文字列(かきくけこ等)の何れかを入力する場合のスライド操作の方向を案内するための複数のガイドボタンが、上記選択文字を中央として十字形に配列されてなる十字形ガイドボタン部１７aと、
上記十字形ガイドボタン部１７aにおける中央のガイドボタンに隣接して、上記中央のガイドボタンの右上、上記中央のガイドボタンの右下、上記中央のガイドボタンの左上、上記中央のガイドボタンの左下の何れかに配置されたガイドボタンであって、「１２ソフトキー部」１６から入力される文字の文字種を他の文字種へ切り替える場合のスライド操作方向を案内するための文字種切替ガイドボタン１７b〜１７eと
を含んで構成している。
【０１１０】
したがって、現在の文字入力モードに拘わらず、上記「１２ソフトキー部」１６にタッチした後、そのタッチした位置から「入力ガイド部」１７のガイドボタンによる案内に従って指をスライド操作するだけで、入力文字の選択および入力文字種の切り替えを行うことができ、文字を入力する場合と入力文字の文字種を切り替える場合との指の移動量が少なく、入力の手間を少なくすることができる。
【０１１１】
さらに、上記「入力ガイド部」１７の大きさは、十字形ガイドボタン部１７aの高さおよび幅と同じ高さおよび幅になる。したがって、「入力ガイド部」１７をコンパクトに構成することができ、表示画面１５上を占めるスペースを小さくすることができる。
【０１１２】
すなわち、本実施の形態によれば、片手の指操作で文字入力を行う場合の操作性に優れており、誤操作の可能性が少ない小型の携帯端末装置を提供することができるのである。
【０１１３】
また、上記「１２ソフトキー部」１６での入力文字の選択および切替文字種の選択は、「入力ガイド部」１７によって案内される目的とする文字あるいは文字種の方向へスライド操作された場合に行うようになっている。
【０１１４】
したがって、上記「１２ソフトキー部」１６によって入力文字を選択する場合には、目的とする文字の方向に向かって、指が上下左右方向にスライド操作される。これに対し、切替文字種を選択する場合には、目的とする文字種の方向に向かって、指が斜め方向にスライド操作される。そのため、「１２ソフトキー部」１６上を指がスライドする方向によって入力文字の選択と切替文字種の選択とを区別することができ、誤った方向へのスライド操作による誤操作を少なくすることができる。
【０１１５】
また、上記制御部８は、「１２ソフトキー部」１６によって切替文字種の選択が行われた場合には、「１２ソフトキー」１６における各ソフトキーの機能および表示、および、十字形ガイドボタン部１７aにおける各ガイドボタンの表示を、上記選択された文字種に応じた機能および表示に切り替えるようになっている。
【０１１６】
したがって、上記「１２ソフトキー部」１６に対して指を離すことなく、異なる文字種の文字を入力することができ、文字入力を速やかに行うことができる。
【０１１７】
また、上記制御部８は、「１２ソフトキー部」１６によって切替文字種の選択が行われた場合は、文字種切替ガイドボタン１７b〜１７eを、上記選択された文字種に応じて切り替えるようになっている。
【０１１８】
上記「１２ソフトキー部」１６に表示されている文字およびその文字種によって、次に切り替え可能な文字種が決まってくる。例えば、「平仮名」は「平仮名」に切り替える必要はない。
【０１１９】
本実施の形態においては、上記文字種切替ガイドボタン１７b〜１７eが、選択された文字種に応じて切り替えられるので、次に切替文字種を選択する際に、現在「１２ソフトキー部」１６に表示されている文字に対して設定されていない文字種への誤った切り替えを防止することができる。
【０１２０】
尚、本実施の形態においては、上記十字形ガイドボタン部１７aの中央に対して上側を基準として右回りに捜査した場合に最初に出現する文字種切替ガイドボタンの方向を第１の方向と定義し、他の文字種切替ガイドボタンの上記中央からの方向を第２の方向と定義し、図７のフローチャートのステップＳ11およびステップＳ15において上記スライド操作の方向が上記第１の方向であるか上記第２の方向であるかを判別するようにしている。しかしながら、この発明はこれに限定されるものではなく、直接何れの文字種用の文字種切替ガイドボタンであるかを判別するようにしても一向に構わない。
【０１２１】
また、上記「入力ガイド部」１７における十字形ガイドボタン部１７aと文字種切替ガイドボタン１７b〜１７eとの表面を異なる色で表示すれば、入力文字選択操作と切替文字種選択操作との混同をより効果的に防止することができる。
【０１２２】
・第２実施の形態
本第２実施の形態の文字入力装置が搭載された携帯端末装置の外観、機能構成を示すブロック図、記憶部６における上記文字表記データ記憶領域の記憶内容は、上記第１実施の形態の携帯端末装置と全く同様である。
【０１２３】
本実施の形態は、上記記憶部６の上記「切替文字種情報記憶領域」に記憶される上記切替文字種情報が、上記第１実施の形態の切替文字種情報とは異なっている。以下、上記第１実施の形態の場合とは異なる本実施の形態の「切替文字種情報」について、詳細に説明する。
【０１２４】
上記第１実施の形態においては、切り替え可能な文字種として「平仮名」,「片仮名」および「英数字」との３種類が設定されていた。しかしながら、この発明においては、上記３種類に限定されるものではなく、例えば「濁音(か,さ,た,は,カ,サ,タ,ハの場合)」,「半濁音(は,ハの場合)」,「大小文字(英数字,あ,や,ア,ヤの場合)」等の文字種切替ガイドボタン１７を、上記「入力ガイド部」１７の十字形ガイドボタン部１７aにおける中央のガイドボタンに対して斜め四方向の空いている箇所に、割り当てることができる。
【０１２５】
本実施の形態の形態においては、上記「濁音」,「半濁音」,「大小文字」を含めた「切替文字種情報」を、表４〜表６のごとく設定して、記憶部６の上記「切替文字種情報記憶領域」に記憶している。
【０１２６】
【表４】
2014039215.tif 000006
尚、表中「○」は設定あり、「−」は設定無しを示す。
【０１２７】
【表５】
2014039215.tif 000007
尚、表中「○」は設定あり、「−」は設定無しを示す。
【０１２８】
【表６】
2014039215.tif 000008
尚、表中「○」は設定あり、「−」は設定無しを示す。
【０１２９】
図９に、上記表４〜表６の「切替文字種情報」に基づく、制御部８による文字種切替ガイドボタン１７の表示例を示す。
【０１３０】
図９(a)の上段は、上記文字入力モードが平仮名モード時に文字「は」が選択された場合における「入力ガイド部」１７の表示内容を示す。この場合は、「入力ガイド部」１７の十字形ガイドボタン部１７aには、記憶部６の文字表記データ記憶領域１１における平仮名モード領域１２の入力候補文字表記部１２b(図３参照)から、選択文字「は」に基づいて読み出された文字列「はひふへほ」が表示されている。さらに、記憶部６の上記切替文字種情報記憶領域に記憶されている表４から、選択文字「は」に基づいて読み出された切り替え可能な文字種「カナ」および「英」が、十字形ガイドボタン部１７aの中央に対して「右上」の文字種切替ガイドボタン１７bと「右下」の文字種切替ガイドボタン１７cとに表示されている。これまでは、上記第１実施の形態の場合と同様である。
【０１３１】
本実施の形態においては、さらに加えて、切り替え可能な文字種「”(濁音）」および「゜(半濁音)」が、十字形ガイドボタン部１７aの中央に対して「左上」の文字種切替ガイドボタン１７eと「左下」の文字種切替ガイドボタン１７dとに表示されている。
【０１３２】
そこで、上記「１２ソフトキー部」１６上において、例えば、左上方向にスライド操作を行って「”」が選択されると、文字入力モードが濁音モードに変更される。その結果、図９(a)の下段に示すように、十字形ガイドボタン部１７aの表示が濁音「ばびぶべぼ」に変更される。それと同時に、片仮名切り替え用の文字種切替ガイドボタン１７bと、英数字切り替え用の文字種切替ガイドボタン１７cとが削除されると共に、濁音切り替え用の文字種切替ガイドボタン１７eが、清音に戻すための戻し用の文字種切替ガイドボタン１７e(「戻」が表示)に変更される。尚、半濁音切り替え用の文字種切替ガイドボタン１７dは、そのままである。
【０１３３】
したがって、図９(a)の下段において、上記「１２ソフトキー部」１６上において左上方向へのスライド操作が行われると、清音に戻されて、「入力ガイド部」１７の表示は図９(a)の上段に戻るのである。
【０１３４】
図９(b)の片仮名モード時および図９(c)の英数字モード時の場合にも同様に、「”」,「゜」および「大小文字」切り替え用の文字種切替ガイドボタンが表示される。そして、「”」および「゜」が選択されると、清音に戻すための戻し用の文字種切替ガイドボタンに変更される。
【０１３５】
以上のごとく、本実施の形態においては、上記「濁音」,「半濁音」,「大小文字」を含めた「切替文字種情報」を、表４〜表６のごとく設定して、記憶部６の上記「切替文字種情報記憶領域」に記憶している。
【０１３６】
したがって、切り替え可能な文字種として「平仮名」,「片仮名」および「英数字」との３種類に、「濁音(か,さ,た,は,カ,サ,タ,ハの場合)」,「半濁音(は,ハの場合)」,「大小文字(英数字,あ,や,ア,ヤの場合)」を加えた文字種切替ガイドボタン１７b〜１７eを、「入力ガイド部」１７の十字形ガイドボタン部１７aにおける中央のガイドボタンに対して斜め四方向の空いている箇所に、割り当てることが可能になる。
【０１３７】
その際に、上記「濁音」,「半濁音」の文字種切替ガイドボタンが選択されて、十字形ガイドボタン部１７aの表示が「濁音」あるいは「半濁音」に切り替えられた場合には、戻し用の文字種切替ガイドボタンが設定されるようになっている。したがって、戻しを選択することによって、「入力ガイド部」１７の表示を容易に元に戻すことができるのである。
【０１３８】
・第３実施の形態
本第３実施の形態の文字入力装置が搭載された携帯端末装置の外観、機能構成を示すブロック図、記憶部６における上記文字表記データ記憶領域の記憶内容は、上記第１実施の形態の携帯端末装置と全く同様である。
【０１３９】
本実施の形態は、上記記憶部６の上記「切替文字種情報記憶領域」に記憶される上記切替文字種情報が、上記第１,第２実施の形態の切替文字種情報とは異なっている。以下、上記第１,第２実施の形態の場合とは異なる本実施の形態の「切替文字種情報」について詳細に説明する。
【０１４０】
上記第１,第２実施の形態においては、図４に示すように、タッチパネル２の表示画面１５の下部中央には「１２ソフトキー部」１６が表示されている。さらに、表示画面１５の「１２ソフトキー部」１６よりも図中左側には、例えば入力文字表示エリア１８に表示されているカーソル１９(図８(a)参照)の位置を左側に移動させるための左シフトキー２０、片仮名/英字入力キー２１、および、平仮名/アルファベット/数字入力キー２２が表示されている。
【０１４１】
しかしながら、上記第１,第２実施の形態においては、「入力ガイド部」１７中に平仮名,片仮名,英数字切り替え用の文字種切替ガイドボタン１７b〜１７eを設定可能にしている。そして、「１２ソフトキー部」１６上で文字種切替ガイドボタン１７b〜１７eによってガイドされる方向にスライド操作することにより、文字入力モードを該当するモードに切り替え設定することができる。したがって、図１０に示すように、図４における表示画面１５から片仮名/英字入力キー２１および平仮名/アルファベット/数字入力キー２２を削除すると共に、左シフトキー２０を「１２ソフトキー部」１６の右側に移動させる。こうして、表示画面１５上のソフトキーの数を減らして、一つのソフトキー当たりの面積を広くして操作性を向上することが可能になる。
【０１４２】
その場合、上記「１２ソフトキー部」１６の最左および最下に配列されているソフトキーは、表示画面１５の左縁および下縁に沿って配列されることになる。
【０１４３】
したがって、上記片仮名モード時に平仮名文字「み」を入力する場合には、下記(１)〜(３)のごとく、表示画面１５の左縁付近において連続して２度も左側にスライド操作を行う必要があり、指の移動距離が十分に取れない場合が生ずる。
（１）「１２ソフトキー部」１６における左端に位置する「マ」にタッチを行って「マ」を選択する。
（２）引き続き、上記「１２ソフトキー部」１６における左側に位置する「マ」の位置から、「入力ガイド部」１７において、十字形ガイドボタン部１７a中央の選択文字「マ」の左斜め下に表示された平仮名切り替え用の文字種切替ガイドボタン１７dをガイドにして、左下方向に「スライド操作」を行って、平仮名モードに切り替える。
（３）引き続き、上記「１２ソフトキー部」１６上で左方向へのスライド操作を行って平仮名「み」を選択した後にリリースして、選択文字「み」を入力文字として確定する。ここで、平仮名「み」が選択されたことは、「入力ガイド部」１７の十字形ガイドボタン部１７aにおける選択文字を示すガイドボタンの色(図１１ではハッチング表示)が、「ま」のガイドボタンから「み」のガイドボタンに遷移することよって分かる。
【０１４４】
そこで、本実施の形態においては、上記制御部８の制御によって、表示画面１５の縁に沿って配列されている「１２ソフトキー部」１６のソフトキーをタッチした場合には、設定表示された「入力ガイド部」１７における上記タッチされたソフトキーが位置している縁と同じ側に設定表示される文字種切替ガイドボタンについては、他の空き領域にも同じ機能を有する文字種切替ガイドボタンを設定表示するのである。
【０１４５】
具体的には、図１１(a)に示すように、図１０において「１２ソフトキー部」１６における表示画面１５の左縁に位置する「マ」が選択された場合には、「入力ガイド部」１７の十字形ガイドボタン部１７aには「マミムメモ」が表示されると共に、英数字切り替え用の文字種切替ガイドボタン１７cと平仮名切り替え用の文字種切替ガイドボタン１７dが設定表示される。この場合、平仮名切り替え用の文字種切替ガイドボタン１７dにおける「入力ガイド部」１７上の位置は、選択文字「マ」の「１２ソフトキー部」１６上の位置と同じ左側である。そこで、本実施の形態においては、文字種切替ガイドボタン１７dと同じ機能を有する平仮名切り替え用の文字種切替ガイドボタンを、上記十字形ガイドボタン部１７aの中央に対して右上の空いている文字種切替ガイドボタン１７bに設定するのである。
【０１４６】
したがって、操作者は、上記表示画面１５の左縁付近に位置している指を操作しにくい左側に無理にスライド操作する必要が無く、「入力ガイド部」１７の右側に表示されている平仮名切り替え用の文字種切替ガイドボタン１７bをガイドとして、操作性良く右上方向へのスライド操作を行うことができるのである。以下、「１２ソフトキー部」１６上において左側にスライド操作を行って平仮名文字「み」を選択することができるのである。
【０１４７】
上述の説明では、上記表示画面１５の左縁に位置する文字「マ」を選択する場合について説明しているが、表示画面１５の下縁に位置する文字を選択する場合も同様である。
【０１４８】
すなわち、図１１(b)に示すように、平仮名モード時において、「１２ソフトキー部」１６における表示画面１５の下縁に位置する「わ」が選択された場合には、「入力ガイド部」１７の十字形ガイドボタン部１７aには「わをんー」が表示されると共に、片仮名切り替え用の文字種切替ガイドボタン１７bと英数字切り替え用の文字種切替ガイドボタン１７cとが設定表示される。この場合には、英数字切り替え用の文字種切替ガイドボタン１７cは、選択文字「わ」の「１２ソフトキー部」１６上の位置と同じ下側である。そこで、文字種切替ガイドボタン１７cと同じ機能を有する英数字切り替え用の文字種切替ガイドボタンを、十字形ガイドボタン部１７aの中央に対して左上の空いている文字種切替ガイドボタン１７eに設定するのである。
【０１４９】
ところで、以上の説明では、切り替え設定可能な文字入力モードが「平仮名モード」,「片仮名モード」および「英数字モード」の３つの場合について説明した。ところが、上述した第２実施の形態の場合のごとく、文字入力モードが「平仮名モード」,「片仮名モード」および「英数字モード」の他に、「濁音モード」,「半濁音モード」および「大小文字モード」をも設定する場合には、文字入力モードが増えるため、同じ機能を有する文字種切替ガイドボタンを設定表示するための空き領域が無い場合が生ずる。その場合は、以下のようにして対処するのである。
【０１５０】
すなわち、選択文字「た」が表示画面１５の左縁に位置する平仮名文字「たちつてと」の場合には、切り替え可能な文字種としては「片仮名」と「英数字」と「濁音」との３種類がある。そして、図１０において、平仮名モード時に「１２ソフトキー部」１６における表示画面１５の左縁に位置する「た」が選択された場合には、通常の場合には、「入力ガイド部」１７の十字形ガイドボタン部１７aには「たちつてと」が表示されると共に、片仮名切り替え用の文字種切替ガイドボタン１７bと英数字切り替え用の文字種切替ガイドボタン１７cが設定表示される。したがって、「入力ガイド部」１７の右側には空き領域が無く、そのままでは、もう一つの切り替え可能な文字種である濁音切り替え用の文字種切替ガイドボタンを「入力ガイド部」１７の右側に配置することができない。
【０１５１】
そこで、上記「た」が選択された場合には、図１２(a)に示すように、英数字切り替え用の文字種切替ガイドボタン１７cに換えて、予め設定された「英数字」と「濁点」に切替することを指示するための他の文字種への切り替え用の文字種切替ガイドボタン１７cを設定し、「他」を表示する。そして、「１２ソフトキー部」１６上で右下方向にスライド操作が行われると、他の文字種への切り替え用の文字種切替ガイドボタン１７cが英数字切り替え用の文字種切替ガイドボタン１７cに変更されると共に、濁音切り替え用の文字種切替ガイドボタン１７eが追加設定されるようにしている。
【０１５２】
したがって、操作者は、無理に表示画面１５の左縁付近に表示されている「た」に対して左側へのスライド操作を行う必要が無く、操作性良く右下方向へのスライド操作を行って「他の文字種への切替」を選択した後、左上方向にスライド操作を行って「濁音」を選択することができるのである。
【０１５３】
また、選択文字が表示画面１５の左縁に位置する片仮名文字「タチツテト」の場合も、切り替え可能な文字種としては「平仮名」と「英数字」と「濁音」との３種類がある。そして、図１２(b)に示すように、片仮名モード時に、図１０において、「１２ソフトキー部」１６における表示画面１５の左縁に位置する「タ」が選択された場合は、通常の場合には、「入力ガイド部」１７の十字形ガイドボタン部１７aには「タチツテト」が表示されると共に、英数字切り替え用の文字種切替ガイドボタン１７cと平仮名切り替え用の文字種切替ガイドボタン１７dとが設定表示される。さらに、平仮名切り替え用の文字種切替ガイドボタン１７dは表示画面１５の左側に位置するため、平仮名切り替え用の文字種切替ガイドボタン１７dと同じ機能を有する平仮名切り替え用の文字種切替ガイドボタン１７bが設定される。したがって、「入力ガイド部」１７の右側には空き領域が無く、そのままでは、もう一つの切り替え可能な文字種である濁音切り替え用の文字種切替ガイドボタンを「入力ガイド部」１７の右側に配置することができない。
【０１５４】
そこで、上記「タ」が選択された場合には、図１２(b)に示すように、英数字切り替え用の文字種切替ガイドボタン１７cに換えて、他の文字種への切り替え用の文字種切替ガイドボタン１７cを設定し、「他」を表示する。そして、「１２ソフトキー部」１６上において、他の文字種への切り替え用の文字種切替ガイドボタン１７cの方向である右下方向にスライド操作が行われると、他の文字種への切り替え用の文字種切替ガイドボタン１７cが英数字切り替え用の文字種切替ガイドボタン１７cに変更されると共に、濁音切り替え用の文字種切替ガイドボタン１７eが追加設定されるようにしているのである。
【０１５５】
以上のごとく、本実施の形態においては、上記制御部８により、図１１に示すように、「１２ソフトキー部」１６上における選択文字が表示画面１５の例えば左縁に位置している場合には、「入力ガイド部」１７上において左縁に位置している文字種切替ガイドボタン１７dに加えて、当該文字種切替ガイドボタン１７dと同じ文字種に切り替えるための当該文字種切替ガイドボタン１７dとは異なる文字種切替ガイドボタン１７bを、当該文字種切替ガイドボタン１７dの位置とは異なる右側の位置に配置するようにしている。
【０１５６】
したがって、上記表示画面１５の縁に位置して操作しにくい「１２ソフトキー部」１６上の選択ソフトキーに対して無理に上記縁の方向にスライド操作を行う必要が無く、当該文字種切替ガイドボタン１７dとは異なる右側の位置に配置された文字種切替ガイドボタン１７bにガイドされて操作しやすい右方向にスライド操作を行うことによって、当該文字種切替ガイドボタン１７dと同じ文字種に切り替えることができる。
【０１５７】
また、上記制御部８は、上記文字種切替ガイドボタン１７b〜１７eの全てを同時に設定できない場合には、先ず予め設定された複数の設定文字種に切り替え表示することを指示するための他の文字種への切り替え用の文字種切替ガイドボタンを設定し、当該他の文字種への切り替え用の文字種切替ガイドボタンが選択された場合には、当該他の文字種への切り替え用の文字種切替ガイドボタンが指示する上記複数の設定文字種の夫々へ切り替えるための複数の文字種切替ガイドボタンを改めて設定するようしている。
【０１５８】
したがって、上記文字種切替ガイドボタンの全てを同時に配置できない場合であっても対処することが可能になるのである。
【０１５９】
ところで、上記各実施の形態における制御部８による上記文字入力用ソフトキー部設定手段,上記設定する入力ガイド部設定手段および上記制御手段としての機能は、プログラム記録媒体に記録された文字入力プログラムによって実現される。上記各実施の形態における上記プログラム記録媒体は、ＲＯＭ(リード・オンリ・メモリ)でなるプログラムメディアである。または、上記外部補助記憶装置に装着されて読み出されるプログラムメディアであってもよい。
【符号の説明】
【０１６０】
１…筺体、
２…タッチパネル、
３…通話用マイク、
４…通話用スピーカ、
５…操作キー、
６…記憶部、
７…通信部、
８…制御部、
９…表示デバイス、
１０…位置入力デバイス、
１１…文字表記データ記憶領域、
１２…平仮名モード領域、
１２a,１３a,１４a…キー表記部、
１２b,１３b,１４b…入力候補文字表記部、
１３…片仮名モード領域、
１４…英数字モード領域、
１５…表示画面、
１６…１２ソフトキー部、
１７…入力ガイド部、
１７a…十字形ガイドボタン部、
１７b〜１７e…文字種切替ガイドボタン、
１８…入力文字表示エリア、
１９…カーソル、
２０…左シフトキー、
２１…片仮名/英字入力キー、
２２…平仮名/アルファベット/数字入力キー。
【図１】
2014039215.tif 000009
【図２】
2014039215.tif 000010
【図３】
2014039215.tif 000011
【図４】
2014039215.tif 000012
【図５】
2014039215.tif 000013
【図６】
2014039215.tif 000014
【図７】
2014039215.tif 000015
【図８】
2014039215.tif 000016
【図９】
2014039215.tif 000017
【図１０】
2014039215.tif 000018
【図１１】
2014039215.tif 000019
【図１２】
2014039215.tif 000020